(57)【要約】【課題】本発明は、床面構造の切換を短時間で容易に行うとともに、電波暗室外部における電波吸収体の格納スペースを不要とすることを目的とするものである。【解決手段】支持体６の一方の面に金属板７を、他方の面に床用電波吸収体８を固着した複数の床面構造体５を床部に並べて配置し、金属板７の表面及び床用電波吸収体８のいずれか一方を選択的に天井部に対向させるように各床面構造体５をそれぞれ反転可能とし、さらに隣接する床面構造体５の金属板７相互を電気的に接続可能とした。【選択図】図３
2006352157.tif 000002
【特許請求の範囲】
【請求項１】
側壁部に側壁用電波吸収体が設けられ、かつ天井部に天井用電波吸収体が設けられている電波暗室の床部に設置される電波暗室の床装置において、金属板と、この金属板の裏面側に設けられた床用電波吸収体とをそれぞれ有し、上記床部に並べて配置される複数の床面構造体を備え、上記床用電波吸収体は、金属板の裏面の全面を覆うように設けられた平板部と、この平板部の表面に固着されている四角錐状の複数の突起部とを有しており、上記各床面構造体は、上記金属板及び上記床用電波吸収体のいずれか一方を選択的に上記天井部に対向させるようにそれぞれ反転可能になっており、かつ隣接する上記床面構造体の金属板の端面相互が密着して電気的に接続可能になっていることを特徴とする電波暗室の床装置。
【請求項２】
側壁部に側壁用電波吸収体が設けられ、かつ天井部に天井用電波吸収体が設けられている電波暗室の床部に設置される電波暗室の床装置において、金属板と、この金属板の裏面側の全面を覆うように設けられている床用電波吸収体とをそれぞれ有し、上記床部に並べて配置される複数の床面構造体を備え、上記各床面構造体は、上記金属板及び上記床用電波吸収体のいずれか一方を選択的に上記天井部に対向させるようにそれぞれ反転可能になっており、かつ隣接する上記床面構造体の金属板相互が接触子により電気的に接続可能になっていることを特徴とする電波暗室の床装置。
【請求項３】
側壁部に側壁用電波吸収体が設けられ、かつ天井部に天井用電波吸収体が設けられている電波暗室の床部に設置される電波暗室の床装置において、金属板と、この金属板の裏面側に設けられている床用電波吸収体とをそれぞれ有し、上記床部に並べて配置される複数の床面構造体を備え、上記各床面構造体は、上記金属板及び上記床用電波吸収体のいずれか一方を選択的に上記天井部に対向させるようにそれぞれ反転可能になっており、その床面構造の回転中心が床構造の幅方向中央に位置する場合、半径Ｒが床面の幅Ｌの１／２よりも大きく、Ｌよりも小さく、かつ隣接する上記床面構造体の金属板相互が電気的に接続可能になっていることを特徴とする電波暗室の床装置。
【請求項４】
側壁部に側壁用電波吸収体が設けられ、かつ天井部に天井用電波吸収体が設けられている電波暗室の床部に設置される電波暗室の床装置において、金属板と、この金属板の裏面側に設けられている床用電波吸収体とをそれぞれ有し、上記床部に並べて配置される複数の床面構造体を備え、上記各床面構造体は、上記金属板及び上記床用電波吸収体のいずれか一方を選択的に上記天井部に対向させるようにそれぞれ反転可能になっており、その床面構造の回転中心が床構造の幅方向中央に位置する場合、半径Ｒが床面の幅Ｌの１／２よりも大きく、Ｌよりも小さく、かつ隣接する上記床面構造体の金属板相互が電気的に接触子により接続可能になっていることを特徴とする電波暗室の床装置。
【請求項５】
側壁部に側壁用電波吸収体が設けられ、かつ天井部に天井用電波吸収体が設けられている電波暗室の床部に設置される電波暗室の床装置において、金属板と、この金属板の裏面側に設けられている床用電波吸収体とをそれぞれ有し、上記床部に並べて配置される複数の床面構造体を備え、上記各床面構造体は、上記金属板及び上記床用電波吸収体のいずれか一方を選択的に上記天井部に対向させるようにそれぞれ反転可能になっており、その床面構造の回転中心が回転床の幅方向端部に位置する場合、半径Ｒが床面の幅Ｌよりも大きく、２Ｌよりも小さく、かつ隣接する上記床面構造体の金属板相互が電気的に接続可能になっていることを特徴とする電波暗室の床装置。
【請求項６】
金属板と床用電波吸収体との間には、強度部材となる支持体が介在されており、上記床用電波吸収体は、上記支持体の裏面の全面を覆うように設けられていることを特徴とする請求項１から請求項５までのいずれか１項に記載の電波暗室の床装置。
【請求項７】
各床面構造体は、水平方向に沿って延びる回転軸を中心として回転させることにより反転可能になっていることを特徴とする請求項１又は請求項２に記載の電波暗室の床装置。
【請求項８】
回転軸は、床面構造体の幅方向の中心に沿って延びており、上記床面構造体の設置位置がその向きによらず同じであることを特徴とする請求項７記載の電波暗室の床装置。
【請求項９】
回転軸は、床面構造体の幅方向の一端部に沿って延びており、上記床面構造体は、隣接する床面構造体の設置領域との間で回転移動されて反転されることを特徴とする請求項７記載の電波暗室の床装置。
【請求項１０】
側壁用電波吸収体が設けられている側壁部、
天井用電波吸収体が設けられている天井部、及び
請求項１から請求項９までのいずれか１項に記載の床装置
を備え、上記各床面構造体は、上記金属板及び上記床用電波吸収体のいずれか一方を選択的に上記天井部に対向させるようにそれぞれ反転可能になっており、かつ隣接する上記床面構造体の金属板相互が電気的に接続可能になっていることを特徴とする電波暗室。
【発明の詳細な説明】
【技術分野】
【０００１】
この発明は、例えば放射ＥＭＩ（電波雑音干渉）の測定、イミュニティ試験、及びアンテナの放射パターン測定などに使用される電波暗室、及びその床部に設置される床装置に関するものである。
【背景技術】
【０００２】
一般に、電子機器から発生する放射ＥＭＩを測定するための施設としては、側壁部及び天井部を電波吸収体で覆い、床部を金属等の反射面としたＥＭＩ用電波暗室が用いられている。これに対し、電子機器に妨害電波を照射して電子機器の誤動作の具合を試験するイミュニティ試験や、アンテナの放射パターン測定を行うための施設としては、側壁部、天井部及び床部の６面全てを電波吸収体で覆った６面電波暗室が用いられている。
ところが、上記のような電波暗室はそれぞれ大形かつ高価であるため、ＥＭＩ用及び６面電波暗室の両方を保有することは、非経済的であり、設置場所の確保も困難な場合があった。そこで、従来の電波暗室では、測定目的に応じて床面構造のみを切り換えている（例えば、特許文献１参照）。
【０００３】
【特許文献１】特開平４−４９６９８号公報
【発明の開示】
【発明が解決しようとする課題】
【０００４】
しかし、上記のような床面構造を切り換える従来の電波暗室では、測定目的に応じて電波吸収体を床面上に敷設したり電波暗室の外部に撤去したりする必要があり、しかもその作業を１個ずつ人手により行っていたため、労力及び時間がかかってしまう。また、電波暗室から撤去された電波吸収体を格納するための大形のスペースを電波暗室の外部に確保する必要がある。
【０００５】
この発明は、上記のような課題を解決するためになされたものであり、床面構造の切換を短時間で容易に行うことができるとともに、外部に電波吸収体の格納スペースを必要としない電波暗室及びその床装置を得ることを目的とする。
【課題を解決するための手段】
【０００６】
この発明に係る電波暗室の床装置は、側壁部に側壁用電波吸収体が設けられ、かつ天井部に天井用電波吸収体が設けられている電波暗室の床部に設置される電波暗室の床装置において、金属板と、この金属板の裏面側に設けられた床用電波吸収体とをそれぞれ有し、床部に並べて配置される複数の床面構造体を備え、床用電波吸収体は、金属板の裏面の全面を覆うように設けられた平板部と、この平板部の表面に固着されている四角錐状の複数の突起部とを有しており、各床面構造体は、金属板及び床用電波吸収体のいずれか一方を選択的に天井部に対向させるようにそれぞれ反転可能になっており、かつ隣接する床面構造体の金属板の端面相互が密着して電気的に接続可能になっているものである。
【０００７】
また、この発明に係る電波暗室の床装置は、金属板と床用電波吸収体との間には、強度部材となる支持体が介在されているものである。
【０００８】
さらに、この発明に係る電波暗室の床装置は、水平方向に沿って延びる回転軸を中心として回転させることにより各床面構造体が反転可能になっているものである。
【０００９】
さらにまた、この発明に係る電波暗室の床装置は、回転軸が床面構造体の幅方向の中心に沿って延びており、床面構造体の設置位置がその向きによらず同じとなるものである。
【００１０】
また、この発明に係る電波暗室の床装置は、回転軸が床面構造体の幅方向の一端部に沿って延びており、床面構造体が、隣接する床面構造体の設置領域との間で回転移動されて反転されるものである。
【００１１】
さらに、この発明に係る電波暗室は、側壁用電波吸収体が設けられている側壁部、天井用電波吸収体が設けられている天井部、及び金属板と、この金属板の裏面側に設けられている床用電波吸収体とをそれぞれ有する複数の床面構造体が並べて配置されている床装置を備え、各床面構造体は、金属板及び床用電波吸収体のいずれか一方を選択的に天井部に対向させるようにそれぞれ反転可能になっており、かつ隣接する床面構造体の金属板相互が電気的に接続可能になっているものである。
【発明の効果】
【００１２】
この発明の電波暗室の床装置は、金属板及び床用電波吸収体のいずれか一方を選択的に天井部に対向させるようにそれぞれ反転可能な複数の床面構造体を床部に並べて配置し、隣接する床面構造体の金属板相互を電気的に接続可能としたので、床面構造の切換を短時間で容易に行うことができるとともに、電波吸収体の格納スペースを不要とすることができる。
【００１３】
また、この発明の電波暗室の床装置は、金属板と床用電波吸収体との間に、強度部材となる支持体を介在させたので、床面構造体の強度を十分に確保することができる。
【００１４】
さらに、この発明の電波暗室の床装置は、水平方向に沿って延びる回転軸を中心として回転させることにより各床面構造体が反転可能になっているので、床面構造体の反転作業をよりスムーズに安定して行うことができる。
【００１５】
さらにまた、この発明の電波暗室の床装置は、回転軸が床面構造体の幅方向の中心に沿って延びており、床面構造体の設置位置がその向きによらず同じとなるので、床面構造の切換をさらにスムーズかつ容易に行うことができる。
【００１６】
また、この発明の電波暗室の床装置は、回転軸が床面構造体の幅方向の一端部に沿って延びており、床面構造体が、隣接する床面構造体の設置領域との間で回転移動されて反転されるので、床面構造の切換をさらにスムーズかつ容易に行うことができる。
【００１７】
さらに、この発明の電波暗室は、金属板の表面及び床用電波吸収体のいずれか一方を選択的に天井部に対向させるようにそれぞれ反転可能な複数の床面構造体を床部に並べて配置し、隣接する床面構造体の金属板相互を電気的に接続可能としたので、床面構造の切換を短時間で容易に行うことができるとともに、電波吸収体の格納スペースを不要とすることができる。
【発明を実施するための最良の形態】
【００１８】
以下、この発明を実施するための最良の形態について、図面を参照して説明する。
実施の形態１．
図１はこの発明の実施の形態１による電波暗室の６面電波暗室仕様時の状態を示す構成図、図２は図１の電波暗室のＥＭＩ用電波暗室仕様時の状態を示す構成図、図３は図１の床面構造体を示す斜視図、図４は図３の床面構造体を反転させた状態を示す斜視図である。
【００１９】
図において、１は側壁部、２は側壁部１に設けられている側壁用電波吸収体、３は天井部、４は天井部３に設けられている天井用電波吸収体、５は床部に並べて配置されている複数の床面構造体であり、これら複数の床面構造体５により床装置１０が構成されている。また、各床面構造体５は、強度部材となる支持体６と、この支持体６の一方の面に固着されている鋼板等の金属板７と、支持体６の他方の面に固着されている床用電波吸収体８とを有している。
【００２０】
さらに、床用電波吸収体８は、フェライト製の平板部８ａと、この平板部８ａの表面に固着されている四角錐状の複数の突起部８ｂとを有している。突起部８ｂは、発泡スチロール又は発泡ウレタン等からなっている。さらにまた、各床面構造体５は、金属板７の表面及び床用電波吸収体８のいずれか一方を選択的に天井部３に対向させるようにそれぞれ反転可能になっている。また、隣接する床面構造体５の金属板７相互が電気的に接続可能になっている。
【００２１】
このような電波暗室では、測定目的に応じて床面構造体５が反転される。例えば、イミュニティ試験やアンテナの放射パターン測定を行う場合、図１に示すように、床用電波吸収体８側が上向きとされ、放射ＥＭＩを測定する場合には、図２に示すように、金属板７側が上向きとされる。また、いずれの場合も、隣接する金属板７相互は電気的に接続される。
【００２２】
このように、実施の形態１による床装置１０では、床面構造体５の向きを暗室内で反転させるだけで、床面構造の切換を短時間で容易に行うことができ、また暗室外部に床用電波吸収体８の格納スペースを設ける必要もない。
【００２３】
また、イミュニティ試験やアンテナの放射パターン測定を行う場合には、突起部８ｂを有する床用電波吸収体８が上向きとなっているため、測定用機器の搬入・搬出など、測定前後の作業の妨げとなる恐れがあるが、床面構造体５の向きは、個別に反転させることができるため、測定前後の作業時には一部の床面構造体５について金属板７側を上向きとすることもでき、作業性を向上させることができる。
【００２４】
なお、隣接する金属板７相互の接続は、金属板７の端面相互を密着させることによっても実現できるが、金属板７の端部に隣接する金属板７に圧接される板ばね状の接触子を設けるなどしてもよく、十分な接圧を確保することができる。
【００２５】
また、実施の形態１では、支持体６の両面に金属板７と床用電波吸収体８とを固着したが、金属板７及び床用電波吸収体８の少なくともいずれか一方により十分な強度を確保することができれば、金属板７の裏面に床用電波吸収体８を直接固着してもよい。
【００２６】
さらに、実施の形態１では、平板部８ａと突起部８ｂとを有する床用電波吸収体８を示したが、平板部８ａを省略して突起部８ｂを支持体６や金属板７に固着してもよい。
【００２７】
実施の形態２．
次に、この発明の実施の形態２について説明する。図５は実施の形態２による電波暗室の６面電波暗室仕様時の状態を示す構成図、図６は図５の電波暗室のＥＭＩ用電波暗室仕様時の状態を示す構成図、図７は図５の床面構造体を示す側面図である。
【００２８】
この例では、各床面構造体１１が、水平方向に沿って延びる回転軸１２を中心として回転可能になっている。即ち、各床面構造体１１は、回転軸１２を中心として回転させることにより反転可能になっている。回転軸１２は、支持体６の幅方向中心に沿って延びており、床面構造体１１の設置位置はその向きによらず同じである。即ち、６面電波暗室仕様のときもＥＭＩ用電波暗室仕様のときも、床面構造体１１の設置位置は同じである。床面構造体１１の回転半径Ｒは、幅Ｌの半分（Ｌ／２）よりも大きく、幅Ｌよりも小さくなっている。他の構成は、実施の形態１と同様である。
【００２９】
図８は図７の１個の床面構造体１１が反転される様子を示した説明図である。各床面構造体１１は、図８の（ａ）〜（ｅ）の順、又は（ｅ）〜（ａ）の順で反転され、その状態が６面電波暗室仕様とＥＭＩ用電波暗室仕様との間で切り換えられる。また、床面構造体１１の反転は、主にモータ（図示せず）の駆動力により行われるが、手動で反転させることも可能である。
【００３０】
このような床装置１０によれば、回転軸１２を中心として回転させることにより床面構造体１１を反転させることができるため、床面構造の切換をさらにスムーズかつ容易に行うことができる。また、床面構造体１１の回転半径Ｒを幅Ｌの半分（Ｌ／２）よりも大きく幅Ｌよりも小さくしたので、床用電波吸収体８の高さを十分に確保しつつ、床面構造体１１が反転時に隣接する床面構造体１１に干渉するのを防止できる。
【００３１】
実施の形態３．
次に、この発明の実施の形態３について説明する。図９は実施の形態３による電波暗室の６面電波暗室仕様時の状態を示す構成図、図１０は図９の電波暗室のＥＭＩ用電波暗室仕様時の状態を示す構成図、図１１は図９の床面構造体を示す側面図である。
【００３２】
この例では、各床面構造体１３が、水平方向に沿って延びる回転軸１４を中心として回転可能になっている。即ち、各床面構造体１３は、回転軸１４を中心として回転させることにより反転可能になっている。回転軸１４は、支持体６の幅方向の一端部に沿って延びており、床面構造体１３は、隣接する床面構造体１３の設置領域との間で回転移動されて反転される（片開き式）。即ち、６面電波暗室仕様とＥＭＩ用電波暗室仕様とで、床面構造体１３の設置位置が移動される。床面構造体１３の回転半径Ｒは、幅Ｌよりも大きく、幅Ｌの２倍（２Ｌ）よりも小さくなっている。他の構成は、実施の形態１と同様である。
【００３３】
図１２は図１１の１個の床面構造体１３が反転される様子を示した説明図である。各床面構造体１３は、図１２の（ａ）〜（ｅ）の順、又は（ｅ）〜（ａ）の順で反転され、その状態が６面電波暗室仕様とＥＭＩ用電波暗室仕様との間で切り換えられる。また、床面構造体１３の反転は、主にモータ（図示せず）の駆動力により行われるが、手動で反転させることも可能である。
【００３４】
このような床装置１０によれば、回転軸１４を中心として回転させることにより床面構造体１３を反転させることができるため、床面構造の切換をさらにスムーズかつ容易に行うことができる。また、床面構造体１３の回転半径Ｒを幅Ｌよりも大きく幅Ｌの２倍よりも小さくしたので、床用電波吸収体８の高さを十分に確保しつつ、床面構造体１３が反転時に隣接する床面構造体１３に干渉するのを防止できる。
【００３５】
なお、実施の形態２，３の床面構造体１１，１３は、隣接する床面構造体１１，１３と同時に反転されるが、電波暗室の短辺方向又は長辺方向と平行な列ごと、又は任意の面積を有するブロックごとに制御回路を区切り、各列ごと又は各ブロックごとに反転の制御を行うようにしてもよい。
【００３６】
実施の形態４．
次に、この発明の実施の形態４について説明する。図１３は実施の形態４による電波暗室の６面電波暗室仕様時の状態を示す構成図、図１４は図１３の電波暗室のＥＭＩ用電波暗室仕様時の状態を示す構成図である。この例では、図７に示した床面構造体１１と、図１１に示した床面構造体１３とが組み合わされて床装置１０が構成されている。
【００３７】
このように、ターンテーブル付近、受信アンテナ付近、壁面付近、搬入口付近、アンテナ昇降機付近など、構造上のスペースの大小に応じて、反転方法の異なる床面構造体１１，１３を適宜組み合わせて使用することもでき、電波暗室内のスペースを効率良く利用することができる。また、図３に示した床面構造体５を組み合わせてもよい。
【図面の簡単な説明】
【００３８】
【図１】この発明の実施の形態１による電波暗室の６面電波暗室仕様時の状態を示す構成図である。
【図２】図１の電波暗室のＥＭＩ用電波暗室仕様時の状態を示す構成図である。
【図３】図１の床面構造体を示す斜視図である。
【図４】図３の床面構造体を反転させた状態を示す斜視図である。
【図５】この発明の実施の形態２による電波暗室の６面電波暗室仕様時の状態を示す構成図である。
【図６】図５の電波暗室のＥＭＩ用電波暗室仕様時の状態を示す構成図である。
【図７】図５の床面構造体を示す側面図である。
【図８】図７の１個の床面構造体が反転される様子を示した説明図である。
【図９】この発明の実施の形態３による電波暗室の６面電波暗室仕様時の状態を示す構成図である。
【図１０】図９の電波暗室のＥＭＩ用電波暗室仕様時の状態を示す構成図である。
【図１１】図９の床面構造体を示す側面図である。
【図１２】図１１の１個の床面構造体が反転される様子を示した説明図である。
【図１３】この発明の実施の形態４による電波暗室の６面電波暗室仕様時の状態を示す構成図である。
【図１４】図１３の電波暗室のＥＭＩ用電波暗室仕様時の状態を示す構成図である。
【符号の説明】
【００３９】
１  側壁部、２  側壁用電波吸収体、３  天井部、４  天井用電波吸収体、５，１１，１３  床面構造体、６  支持体、７  金属板、８  床用電波吸収体、１０  床装置、１２，１４  回転軸。
【図１】
2006352157.tif 000003
【図２】
2006352157.tif 000004
【図３】
2006352157.tif 000005
【図４】
2006352157.tif 000006
【図５】
2006352157.tif 000007
【図６】
2006352157.tif 000008
【図７】
2006352157.tif 000009
【図８】
2006352157.tif 000010
【図９】
2006352157.tif 000011
【図１０】
2006352157.tif 000012
【図１１】
2006352157.tif 000013
【図１２】
2006352157.tif 000014
【図１３】
2006352157.tif 000015
【図１４】
2006352157.tif 000016